(57)【要約】【課題】現状のインフラを活かしながら、真正品と酷似した偽造品であっても、その真贋を正確かつ容易に判定することができ、偽造や変造に対して高いセキュリティ性を有する真贋判定体及び真贋判定物品とその真贋判定方法を提供する。【解決手段】真贋判定物品１０は、１次元コード１１と、真贋判定体１２とを備え、１次元コード１１は、物品の種別情報を示し、機械読み取り可能な第１のコードであり、真贋判定体１２は、真贋判定物品１０の真贋を判定するためものであり、２次元コード１３を備え、２次元コード１３は、１次元コード１１と関連付けられており、光回折層、液晶層、色変化層などのセキュリティ部材を用いて形成され、機械読み取り可能な第２のコードであり、１次元コード１１と２次元コード１３とを読取装置２０で読み取り、両者を比較照合することによって真贋判定を行う。【選択図】図１
2005338669.tif 000002
【特許請求の範囲】
【請求項１】
機械読み取り可能な第１のコードと関連付けられており、セキュリティ部材を用いて形成され、機械読み取り可能な第２のコードを備える真贋判定体。
【請求項２】
請求項１に記載の真贋判定体において、
前記第１のコードは、物品の種別情報及び／又は個別情報を示す１次元コードであること、
を特徴とする真贋判定体。
【請求項３】
請求項１又は請求項２に記載の真贋判定体において、
前記セキュリティ部材は、光の干渉を起こす光回折層であること、
を特徴とする真贋判定体。
【請求項４】
請求項１から請求項３までのいずれか１項に記載の真贋判定体において、
前記セキュリティ部材は、光学的に異方性を示す液晶層であること、
を特徴とする真贋判定体。
【請求項５】
請求項１から請求項４までのいずれか１項に記載の真贋判定体において、
前記セキュリティ部材は、所定の条件下で色が変化する色変化層であること、
を特徴とする真贋判定体。
【請求項６】
請求項１から請求項５までのいずれか１項に記載の真贋判定体において、
前記第２のコードは、２次元コードであること、
を特徴とする真贋判定体。
【請求項７】
機械読み取り可能な第１のコードと、
請求項１から請求項６までのいずれか１項に記載の真贋判定体と、
を備える真贋判定物品。
【請求項８】
請求項７に記載の真贋判定物品を真贋判定する真贋判定物品の真贋判定方法であって、
前記第１のコードを読み取り、前記第２のコードを読み取り、両者を比較照合することによって真贋判定を行うこと、
を特徴とする真贋判定物品の真贋判定方法。
【発明の詳細な説明】
【技術分野】
【０００１】
本発明は、物品の真贋を判定するための真贋判定体及び真贋判定物品とその真贋判定方法に関するものである。
【背景技術】
【０００２】
従来、偽造品、海賊品などの防止策として、偽造が困難なホログラムラベルなどを物品に貼付していた。
【０００３】
しかし、ホログラムラベルは、これまで、高い効果が認められてきたが、最近の偽造技術によっては、ホログラム自体が偽造されてしまう可能性があった。
また、使用後の物品からホログラムラベルを剥離して、不正に利用されてしまう恐れもあり、似通ったホログラムラベルが貼付されている場合に、真贋の判定は、目視では正確に行えない状況にあった。
【０００４】
一方、バーコードラベルを用いて、製造や流通などの過程を明確にするトレーサビリティ管理などのシステムが提示され（例えば、特許文献１）、偽造防止分野への適用も提案されている。
【０００５】
しかし、このようなシステムは、読み取ったバーコードのデータをホストサーバのデータと照合しなくてはならないので、オンラインの環境が必要となり、そのようなインフラが整っていれば問題ないが、インフラが整っていない場合に（例えば、ブランド商品の流通では、オフライン環境が大量に存在する。）、新たなオンライン環境を整えるには、導入に対する負荷が大きかった。
【０００６】
また、単なるバーコードは、スキャナで読み込んで、それをプリンタで打ち出すことも可能であるので、すぐに偽物をつくることができてしまい、セキュリティに関しては無防備な面もあった。
【特許文献１】特開２０００−２３３８０８号公報
【発明の開示】
【発明が解決しようとする課題】
【０００７】
本発明の課題は、現状のインフラを活かしながら、真正品と酷似した偽造品であっても、その真贋を正確かつ容易に判定することができ、偽造や変造に対して高いセキュリティ性を有する真贋判定体及び真贋判定物品とその真贋判定方法を提供することである。
【課題を解決するための手段】
【０００８】
本発明は、以下のような解決手段により、前記課題を解決する。なお、理解を容易にするために、本発明の実施例に対応する符号を付して説明するが、これに限定されるものではない。
請求項１の発明は、機械読み取り可能な第１のコード（１１）と関連付けられており、セキュリティ部材を用いて形成され、機械読み取り可能な第２のコード（１３）を備える真贋判定体である。
【０００９】
請求項２の発明は、請求項１に記載の真贋判定体において、前記第１のコード（１１）は、物品の種別情報及び／又は個別情報を示す１次元コードであること、を特徴とする真贋判定体である。
【００１０】
請求項３の発明は、請求項１又は請求項２に記載の真贋判定体において、前記セキュリティ部材は、光の干渉を起こす光回折層であること、を特徴とする真贋判定体である。
【００１１】
請求項４の発明は、請求項１から請求項３までのいずれか１項に記載の真贋判定体において、前記セキュリティ部材は、光学的に異方性を示す液晶層であること、を特徴とする真贋判定体である。
【００１２】
請求項５の発明は、請求項１から請求項４までのいずれか１項に記載の真贋判定体において、前記セキュリティ部材は、所定の条件下で色が変化する色変化層であること、を特徴とする真贋判定体である。
【００１３】
請求項６の発明は、請求項１から請求項５までのいずれか１項に記載の真贋判定体において、前記第２のコード（１３）は、２次元コードであること、を特徴とする真贋判定体である。
【００１４】
請求項７の発明は、機械読み取り可能な第１のコード（１１）と、請求項１から請求項６までのいずれか１項に記載の真贋判定体（１２）と、を備える真贋判定物品である。
【００１５】
請求項８の発明は、請求項７に記載の真贋判定物品を真贋判定する真贋判定物品の真贋判定方法であって、前記第１のコード（１１）を読み取り、前記第２のコード（１３）を読み取り、両者を比較照合することによって真贋判定を行うこと、を特徴とする真贋判定物品の真贋判定方法である。
【発明の効果】
【００１６】
本発明によれば、各コードが機械読み取り可能なので、真正品と酷似した偽造品であっても、その真贋を正確かつ容易に判定することができる。
【００１７】
また、第１のコードと第２のコードとが関連付けられ、かつ、セキュリティ部材を用いて第２のコードが形成されているので、偽造が困難であり、高いセキュリティ性を確保できる。
【００１８】
さらに、第１のコードに１次元コードを用いることによって、現状のインフラを活かすことができ、導入に対する負荷を軽減することができる。
【００１９】
さらにまた、第２のコードに２次元コードを用いることによって、１次元コードと同等以上の情報量でありながら、より小さなサイズとすることができ、セキュリティ部材の使用量も最小限で済むので、コストの上昇を抑えることができる。
【００２０】
一方、第１のコードを読み取り、第２のコードを読み取り、両者を比較照合することによって真贋判定を行うので、オフライン環境であっても、その場で真贋判定を行うことができる。
【発明を実施するための最良の形態】
【００２１】
本発明は、現状のインフラを活かしながら、真正品と酷似した偽造品であっても、その真贋を正確かつ容易に判定することができ、偽造や変造に対して高いセキュリティ性を有する真贋判定体及び真贋判定物品とその真贋判定方法を提供するという目的を、１次元コードと、その１次元コードと関連付けられており、セキュリティ部材を用いて形成された２次元コードとを物品に設けることにより実現する。
【実施例】
【００２２】
以下、図面等を参照して、本発明の実施例について、さらに詳しく説明する。
図１は、本発明による真贋判定物品の実施例を示す図である。
本実施例の真贋判定物品１０は、流通過程に置かれる物品や筐体、包装物などであり、１次元コード（１次元バーコード）１１と、真贋判定体１２などとを備える。
【００２３】
１次元コード１１は、物品の種別情報を示し、バーコードリーダなどの読取装置２０によって機械読み取り可能な第１のコードであり、真贋判定物品１０に直接印刷又は汎用のラベルシールに印刷して貼付されている。
【００２４】
一般に、多くの物品には、ポスシステムなどを利用するために、１次元コードが設けられている場合が多いので、１次元コード１１は、その既存のバーコードを利用するようにしてもよく、また、今後、利用の増加が見込まれる固有のシリアルナンバー（個別情報）であってもよい。
【００２５】
真贋判定体１２は、真贋判定物品１０の真贋を判定するためものであり、２次元コード（２次元バーコード）１３を備える。
【００２６】
２次元コード１３は、１次元コード１１と関連付けられており、セキュリティ部材を用いて形成され、機械読み取り可能な第２のコードである。
この関連付けの方法は、例えば、（１）１次元コード１１のデータをそのまま２次元コード１３に含ませる、（２）１次元コード１１のデータから、所定の演算や暗号化によって一意的に定まる情報を２次元コード１３のデータに含ませる、などが挙げられる。
【００２７】
ここで、セキュリティ部材とは、セキュリティ性を有し、偽造が困難な部材であり、このセキュリティ部材には、光の干渉を起こす光回折層（光回折構造体）、光学的に異方性を示す液晶層、所定の条件下で色が変化する色変化層などを用いることができる。
【００２８】
光回折層の場合には、ホログラム画像が記録されるホログラムや、光の干渉を起こす回折格子などを用いることができ、例えば、ホログラムであれば、（１）ホログラムシールにバーコードを印刷する、（２）ホログラムの金属反射層をバーコード状にパターン化する、また、回折格子であれば、所定の光によって再現可能にバーコードを記録する、などの方法が挙げられる。
【００２９】
液晶層の場合には、例えば、（１）色彩可変効果や偏光性を有するコレステリック液晶をバーコード状に塗布する、（２）コレステリック液晶を均一に塗布又はコレステリック液晶のフィルムを貼付し、レーザーによって一部を変質させ、配向状態を変化させてバーコード状にパターン化する、（３）コレステリック液晶を均一に塗布又はコレステリック液晶のフィルムを貼付し、その上に、光の偏光状態を変化させるバーコード状の位相差層を積層する、などの方法が挙げられる。
【００３０】
色変化層の場合には、例えば、紫外蛍光インキ、赤外蛍光インキ、赤外吸収インキ、赤外発光インキなどの特殊なインキを、バーコード状に塗布する方法が挙げられる。
【００３１】
読取装置２０は、１次元コード１１と２次元コード１３とを読み取るためのものであり、読み取ったバーコードのデータを表示する表示部２１を備える。
また、読取装置２０は、共用の読取装置又は各々専用の読取装置のいずれでもよく、特に、２次元コード１３の読み取りは、例えば、ホログラムであれば、読取装置２０の反射モードを反転させて読み取るなどして、セキュリティ部材の特性を活かしていることが好ましい。
【００３２】
次に、図１及び図２を参照しながら、本実施例による真贋判定物品１０の真贋判定方法について説明する。
図２は、真贋判定物品１０の真贋判定方法を示すフローチャートである。
まず、読取装置２０で１次元コード１１を読み取り、読取装置２０の表示部２１に、１次元コード１１のデータを表示させる（Ｓ１０１）。
【００３３】
ついで、１次元コード１１と同様に、２次元コード１３を読み取り、２次元コード１３のデータを表示させる（Ｓ１０２）。
【００３４】
そして、表示された両方のバーコードのデータを作業員が比較照合し（Ｓ１０３）、データが一致しているか否かを判定する（Ｓ１０４）。
データが一致していれば、真正品であると判定し（Ｓ１０５）、データが一致していなければ、偽造品であると判定する（Ｓ１０６）。
【００３５】
このように、本実施例によれば、以下のような効果がある。
（１）１次元コード１１と２次元コード１３とをその場で比較照合するので、ホストサーバに対してデータの照合を行わなくても真贋判定が可能となり、オンライン環境にする必要はなく、導入コストを軽減することができる。
【００３６】
（２）２次元コード１３は、１次元コード１１と関連付けられ、かつ、セキュリティ部材を用いて形成されているので、偽造が困難であり、また、読取装置２０によって機械的に処理するため、実物を目視で判定する従来の方法と比較して、簡便かつ確実に真贋判定できる。
【００３７】
（３）１次元コードと同等以上の情報量でありながら、サイズの小さい２次元コード１３を利用しているので、セキュリティ部材の使用量も最小限で済み、コストの上昇を抑えることができる。
【００３８】
（４）流通過程で利用されている１次元コードをそのまま利用することによって、現状のインフラを活かすことができ、設備の変更は不要である。
【００３９】
（５）液晶層や色変化層用のインキを用いる場合には、汎用部材（紙、フィルムなど）上に、バーコードを印刷して、それを物品に貼付すればよいので、低コストに製造できる。
【００４０】
（６）真贋判定物品１０によって、ブランド商品、純正製品、工業製品などの偽造品、海賊品が流通することや、流通過程で情報が改竄されてしまうことを防止できるので、農産物、畜産物、工業製品などのトレーサビリティ管理、ポスシステム、商品補充発注システム、入出庫管理システム、製造工程管理システムなどに好適に利用でき、物品に対する信頼性も向上する。
【００４１】
（変形例）
以上説明した実施例に限定されることなく、種々の変形や変更が可能であって、それらも本発明の均等の範囲内である。
（１）バーコードのデータを表示部２１に表示させて、比較照合する例で説明したが、表示部２１を備えていない読取装置２０の場合には、パーソナルコンピュータなどの端末に読取装置２０を接続してデータを表示させてもよく、また、接続した端末にデータの比較照合を行わせてもよい。このようにすれば、人為的なミスを排除でき、真贋判定の正確さがより高まる。
（２）オフライン環境の例で説明したが、オンライン環境が整っている場合には、ホストサーバに対する照合処理を併用して、段階的にセキュリティのレベルを上げるようにしてもよい。
【００４２】
（３）３つのセキュリティ部材（光回折層、液晶層、色変化層）の積層又は組み合わせによって、セキュリティ性を高めてもよい。
（４）２次元コード１３には、少なくとも１次元コード１１と比較照合できる情報が含まれていればよいので、その他の情報を付加してもよい。
（５）第１のコードは、２次元コードでもよく、第２のコードは、１次元コードでもよい。
【図面の簡単な説明】
【００４３】
【図１】本発明による真贋判定物品の実施例を示す図である。
【図２】真贋判定物品１０の真贋判定方法を示すフローチャートである。
【符号の説明】
【００４４】
１０  真贋判定物品
１１  １次元コード
１２  真贋判定体
１３  ２次元コード
２０  読取装置
２１  表示部
【図１】
2005338669.tif 000003
【図２】
2005338669.tif 000004